(57)【要約】      （修正有）【課題】煩雑な作業を行なわずに鳥類が集水器付近に近づき雨樋管内部に侵入することを防止するとともに、雨樋の排水溝部分におけるゴミ詰まりを解消することのできる、簡易かつ有用な雨樋構造を提供する。【解決手段】集水器近傍の雨樋管内部に弾性素材の突起４を設けることにより、鳥類が雨樋管内部に侵入することを防止するとともに、ゴミが一定量堆積した場合に、前記ゴミの自重により前記突起４が弾性変形しゴミを雨樋管内部の下方に落下させることを特徴とする雨樋構造を提供する。【選択図】図１
2006299662.tif 000002
【特許請求の範囲】
【請求項１】
集水器近傍の雨樋管内部に弾性素材の突起を設けることにより、鳥類が雨樋管内部に侵入することを防止するとともに、ゴミが一定量堆積した場合に、前記ゴミの自重により前記突起が弾性変形しゴミを雨樋管内部の下方に落下させることを特徴とする雨樋構造。
【発明の詳細な説明】
【技術分野】
【０００１】
本発明は、雨樋の構造に関するものであり、雨樋の内部に取り付けられることにより、鳥類が雨樋の内部に巣を作るのを防止するとともに、集水器に堆積する落ち葉などのゴミを除去するために用いられるものである。
【背景技術】
【０００２】
雀などの鳥類は天敵から身を守るために、図３に示す集水器２やＡ部のような雨樋の内部に巣を作ることがある。ところが内部に巣が作られると、雨が降ったときに鳥類の巣が邪魔になって雨樋管内部で詰まってしまい、雨樋の役割を果たさなくなるという問題点があった。
【０００３】
これを解決するため、例えば特許文献１をみると、集水器に放射状の突起を設けたり、仕切り板を設けるなどの考案が開示されている。しかし、このような装置によって鳥類の侵入を防止しても、突起や仕切り板に落ち葉等のごみが支えてしまい、結局排水を妨げることになる。さらにそのゴミを除去するために屋根に上るのは危険であり、煩雑である。
【０００４】
上記問題を解決すべく、雨樋にゴミが堆積しないように、排水溝に金網などの蓋をすることも開示されているが（例えば特許文献２）、すべての雨樋に網の蓋をするには煩雑な作業を行なわねばならないし、コストも要する。また、金網の上部に鳥類が巣作りをすることを防止することもできない。
【０００５】
【特許文献１】実用新案登録第３０６６３０６号
【特許文献２】実開平７−３８３７４号
【発明の開示】
【発明が解決しようとする課題】
【０００６】
そこで本発明では煩雑な作業を行なわずに鳥類が集水器付近に近づき雨樋管内部に侵入することを防止するとともに、雨樋の排水溝部分におけるゴミ詰まりを解消することのできる、簡易かつ有用な雨樋構造を開発したものである。
【課題を解決するための手段】
【０００７】
集水器近傍の雨樋管内部に弾性素材の突起を設けることにより、鳥類が集水器付近や雨樋管内部に侵入することを防止するとともに、ゴミが一定量堆積した場合に、前記ゴミの自重により前記突起が弾性変形しゴミを雨樋管内部の下方に落下させることを特徴とする雨樋構造を採用することによって、前記課題を解決する。
【発明の効果】
【０００８】
前記弾性体の突起により、鳥類が集水器付近に近づき雨樋内部に侵入することを防止できる。つまり、鳥類が雨樋内部に仮に侵入したとしても、弾性体の鋭利な突起が鳥類を阻むため、雨樋から脱出することができない。つまり、斯様な危険な場所に巣作りをすることは有り得ず、雨樋に巣作りをすることはなくなるのである。
【０００９】
また、前記突起には金属又は合成樹脂等の弾性素材を使用するが、当該突起が放つ光沢あるいは反射光により、鳥類が雨樋に近寄るのを未然に防止することができる。
【００１０】
弾性体の突起の上部付近に堆積したゴミは、一定の重量になると突起を変形させ、ゴミを下部に落下させることができる。通常、降雨により屋根から流下し集水器に集結した雨水が前記ゴミの自重を増加させ、弾性体の突起を押し下げることにより、ゴミを下部に落下させる。その際、ゴミは雨水と共に雨樋を流下し、地面に排出されることになるため、従来、危険が伴う作業である屋根に登って行うゴミの除去を省略でき、かつ煩雑さが軽減される。
【発明を実施するための最良の形態】
【００１１】
本発明に係る雨樋構造について図面を用いて説明する。図１は本発明において課題を解決するために用いられる、係止装置１の斜視図である。図２は係止装置１を雨樋に取り付けた時の平面図と断面図である。図３は本発明に係る雨樋構造を有する雨樋の使用態様図である。図４は本発明の係止装置１に堆積したゴミ６が除去される様子を表した図である。
【００１２】
図１及び２に示すように雨樋３には係止装置１を取り付けることにより、係止装置１が劣化した時に、容易に交換することができる。尚、係止装置１を用いなくても、係止装置１に突起４が取り付けられているような状態で、直接雨樋に弾性体の突起を設ける構造を採用することも可能である。また、係止装置１は雨樋に沿うためのD部を有さずに、図１に示すＣ部のみによって構成することとしても良い。無論、係止装置１は円形に限られるものではなく、雨樋の断面形状にあわせて係止装置の形状を多角形等に変化させることができる。
【００１３】
次に突起４について説明する。係止装置１には弾性体の突起４が設けられており、図４に示すように当該突起４が落ち葉等のゴミを係止することになる。突起４は雨樋管３内部の中心に向かって長手方向に傾斜して設けられ、好ましくは雨水の流下方向に３０度から４０度となるよう傾斜角を設定することが望ましい。無論、突起４は弾性素材からなるので、突起の向きが雨樋管３の長手方向に直角、あるいは上向きに装着されていても問題はない。
【００１４】
突起４は弾性素材からなり、好ましくは鉄、鋼等の金属、ゴムなどの天然素材、あるいはプラスチック等の合成樹脂等の弾性変形する素材が用いられる。突起４が太陽光等を反射することにより、鳥類は危険を感じて雨樋３に侵入することはないためである。尚、突起４が反射素材でなくとも、反射体を突起の表面に付着させることにより、反射性を持たせることができる。
【００１５】
また、突起４には好ましくは細線が用いられる。突起の先端を鋭利にしておくならば、仮に鳥類が雨樋３内部に仮に侵入したとしても、下向きに設けられている弾性体の鋭利な突起４が鳥類を阻み、雨樋３から脱出することができなくなるため、危険な場所に巣作りをすることはなくなるという効果を併せ持つからである。
【００１６】
突起４は雨樋の形状に合わせて適当な数が設けられる。例えば直径が５ｃｍの雨樋管であれば係止装置１には８本の突起を設けることが望ましい。１本の突起の長さを２ｃｍにした場合、各突起４の先端が、中央に直径で約１．５ｃｍの円形を描くように配置することが望ましい。尚、雨樋管の形状にあわせて突起は設けられ、また、突起の各先端部分が互いに重なりあっていても良い。
【００１７】
図４に示すように突起４の上部に落ち葉等のゴミ６が堆積し、降雨によって屋根の雨水５が雨樋３を伝わって集水器に集結することによってゴミ６の自重が増加すると、弾性体の突起４は前記自重によって変形し、突起４上部に堆積しているゴミ６を雨水５とともに下方に落下させる。これによりゴミは集水孔７付近から除去されるとともに、雨樋管３内部でゴミ６が詰まることもなく、地面までゴミ６と雨水５は流下することになる。これにより、ゴミの除去を容易にならしめる。
【００１８】
尚、係止装置１の装着場所として、図３に示すように、係止装置１を集水器近傍、より好ましくは集水孔７よりも下部であるB部に装着することが望ましい。鳥類が集水器やＡ部に巣を作ることが多いためであり、係止装置１の突起４を鳥類が見て、集水器２に近づかなくなるとともに雨樋管３内部への侵入を阻止するためである。
【図面の簡単な説明】
【００１９】
【図１】係止装置の斜視図
【図２】係止装置を雨樋に取り付けた時の平面図と断面図
【図３】雨樋の使用態様図
【図４】係止装置に堆積したゴミが除去される様子を表した図
【符号の説明】
【００２０】
１  係止装置
２  集水器
３  雨樋
４  突起
５  雨水
６  ゴミ
７  集水孔
【図１】
2006299662.tif 000003
【図２】
2006299662.tif 000004
【図３】
2006299662.tif 000005
【図４】
2006299662.tif 000006